(57)【要約】      （修正有）【課題】運搬の作業負担が軽く、運搬するチェロの安全性を確保すると共に、既存のチェロ収納ケースの機能を損なわずに後付け可能であるチェロ収納ケース用キャスター装置を提供する。【解決手段】底部にネジ穴を開けたチェロ収納ケースに、ネジ穴を利用して固定し装着するチェロ収納ケース用キャスター装置であって、炭素繊維を使用して形成され、チェロ収納ケースの底部面積と同程度の大きさを備える板部材２と、板部材の底面に設置され、自在に向きを変えることが可能な車輪であるキャスター４と、板部材とチェロ収納ケースの底部との間に介在し、板部材よりも小さい板状のクッション材８と、チェロ収納ケースの底部にチェロ収納ケース用キャスター装置を固定するためのネジ状固定具１０と、を有する。【選択図】図３
0003208262.tif 000002
【実用新案登録請求の範囲】
【請求項１】
底部にネジ穴を開けたチェロ収納ケースに、該ネジ穴を利用して固定し装着するチェロ収納ケース用キャスター装置であって、
炭素繊維を使用して形成され、前記チェロ収納ケースの底部面積と同程度の大きさを備える板部材と、
前記板部材の底面に設置され、自在に向きを変えることが可能な車輪であるキャスターと、
前記板部材と前記チェロ収納ケースの底部との間に介在し、前記板部材よりも小さい板状のクッション材と、
前記チェロ収納ケースの底部に当該チェロ収納ケース用キャスター装置を固定するためのネジ状固定具と、を有することを特徴とするチェロ収納ケース用キャスター装置。
【請求項２】
２つの前記キャスターが、前記板部材において、長手方向の両端部、かつ、短手方向の一方端部に設置されていることを特徴とする請求項１に記載のチェロ収納ケース用キャスター装置。
【請求項３】
地面と接する部位に滑り止め部材を備え、前記板部材の底面端部であって前記キャスターが設置されていない箇所に設置され、前記キャスターと略同じ長さのストッパーを有することを特徴とする請求項２に記載のチェロ収納ケース用キャスター装置。
【請求項４】
４つの前記キャスターが、前記板部材において、長手方向の両端部、かつ、短手方向の両端部に設置されていることを特徴とする請求項１又は２に記載のチェロ収納ケース用キャスター装置。
【請求項５】
前記板部材において、長手方向の両端部、かつ、短手方向の一方端部に設置されている２つの前記キャスターが、前記車輪の回転を停止させることができるストッパー機構を備えていることを特徴とする請求項１乃至４の何れか一に記載のチェロ収納ケース用キャスター装置。
【考案の詳細な説明】
【技術分野】
【０００１】
キャスター未装着のチェロ収納ケースに後付けするキャスター装置の技術に関する。
【背景技術】
【０００２】
チェロとは、西洋音楽で使われるヴァイオリン属の弦楽器の一種である。図１で示すように、チェロは、運搬時、専用ケースに収納され、演奏者等が当該専用ケースを担ぐなどして運搬される。
【考案の概要】
【考案が解決しようとする課題】
【０００３】
しかしながら、演奏者等が運搬するチェロが収納されたチェロ収納ケースは、その重さが８−１０ｋｇ程度もあり、運搬の道程が長くなれば、運搬作業は極めて重労働になるという問題点がある。
【０００４】
また、チェロ収納ケースを既存のキャスター装置に載せて運搬する場合、路面の凹凸等に基づく振動が精密機器でもあるケース内のチェロに伝わり、その結果、チェロが破損してしまうおそれもあるという問題点がある。
【０００５】
さらに、ケースに収納されたチェロの破損を防止するために、振動吸収材や振動吸収機構を具備させ収納ケースやキャスターを大掛かりなものにした場合、演奏者等が運搬する対象物の重量が重くなってしまい、運搬作業が重労働になるという問題点もある。
【０００６】
そこで、本考案では、上記問題点に鑑み、運搬の作業負担が軽く、運搬するチェロの安全性を確保すると共に、既存のチェロ収納ケースの機能を損なわずに後付け可能なチェロ収納ケース用キャスター装置を提供することを目的とする。
【課題を解決するための手段】
【０００７】
開示するチェロ収納ケース用キャスター装置の一形態は、底部にネジ穴を開けたチェロ収納ケースに、該ネジ穴を利用して固定し装着するチェロ収納ケース用キャスター装置であって、炭素繊維を使用して形成され、前記チェロ収納ケースの底部面積と同程度の大きさを備える板部材と、前記板部材の底面に設置され、自在に向きを変えることが可能な車輪であるキャスターと、前記板部材と前記チェロ収納ケースの底部との間に介在し、前記板部材よりも小さい板状のクッション材と、前記チェロ収納ケースの底部に当該チェロ収納ケース用キャスター装置を固定するためのネジ状固定具と、を有することを特徴とする。
【０００８】
さらに、開示するチェロ収納ケース用キャスター装置の一形態は、上記構成に加え、２つの前記キャスターが、前記板部材において、長手方向の両端部、かつ、短手方向の一方端部に設置されていることを特徴とする。
【０００９】
さらに、開示するチェロ収納ケース用キャスター装置の一形態は、上記構成に加え、地面と接する部位に滑り止め部材を備え、前記板部材の底面端部であって前記キャスターが設置されていない箇所に設置され、前記キャスターと略同じ長さのストッパーを有することを特徴とする。
【００１０】
さらに、開示するチェロ収納ケース用キャスター装置の一形態は、上記構成に加え、４つの前記キャスターが、前記板部材において、長手方向の両端部、かつ、短手方向の両端部に設置されていることを特徴とする。
【００１１】
さらに、開示するチェロ収納ケース用キャスター装置の一形態は、上記構成に加え、前記板部材において、長手方向の両端部、かつ、短手方向の一方端部に設置されている２つの前記キャスターが、前記車輪の回転を停止させることができるストッパー機構を備えていることを特徴とする。
【考案の効果】
【００１２】
開示するチェロ収納ケース用キャスター装置は、運搬の作業負担が軽く、運搬するチェロの安全性を確保すると共に、既存のチェロ収納ケースの機能を損なわずに後付け可能である。
【図面の簡単な説明】
【００１３】
【図１】本実施の形態に係るチェロ収納ケースの一例を示す図である。
【図２】本実施の形態に係るチェロ収納ケース用キャスター装置の側面図である。
【図３】本実施の形態に係るチェロ収納ケース用キャスター装置の上方斜視図である。
【図４】本実施の形態に係るチェロ収納ケース用キャスター装置の下方斜視図である。
【図５】本実施の形態に係るチェロ収納ケース用キャスター装置の装着例を示す図である。
【考案を実施するための形態】
【００１４】
図面を参照しながら、本考案を実施するための形態について説明する。
（本実施の形態に係るチェロ収納ケース用キャスター装置の構造）
【００１５】
図１乃至４を用いて、本実施の形態に係るチェロ収納ケース用キャスター装置（以下、単に「本装置」という。）１の構造について説明する。図１は、本装置１を装着する既存のチェロ収納ケース２０の一例を示す図であり、図２乃至４は、本装置１の構成を説明するための図である。
図２乃至４で示すように、本装置１は、板部材２、キャスター４、クッション材８、ネジ状固定具１０、ストッパー１２を有する。
【００１６】
図２乃至４で示すように、板部材２は、板状の部材であり、炭素繊維を使用して形成される。本装置１の軽量化、使用時に横及び前後方向への揺れの原因となる重量や外力による撓みと変形を生じない硬度と、長時間屋外使用にも耐えうる十分な強度の向上を図るためである。板部材２は、チェロ収納ケース２０の底部２２の面積と同程度の大きさを備える。これは、装着後、チェロ収納ケース２０の安定性と本体機能を損なわないようにするためであり、本装置１を装着したチェロ収納ケース２０の運搬作業の邪魔にならないようにするためでもある。以上の目的を適う板部材２は、縦横が３０ｃｍ、２０ｃｍ程度の大きさであることが好適である。
【００１７】
図２乃至４で示すように、キャスター４は、板部材２の底面に設置され、自在に向きを変えることが可能な車輪である。キャスター４は、板部材２底面において、長手方向及び短手方向の端部に、２〜４個が設置される。図４で示すように、３つのキャスター４が、板部材２において、長手方向の両端部、かつ、短手方向の両端部のうち３箇所に設置される形態でも良い。２つのキャスター４が、板部材２において、長手方向の両端部、かつ、短手方向の一方端部に設置される形態でも良い。また、４つのキャスター４が、板部材２において、長手方向の両端部、かつ、短手方向の両端部に設置される形態でも良い。なお、キャスター４は、樹脂製で軽量化が図られ、静音設計が施されたものを使用することが好適である。
【００１８】
キャスター４は、自身が備える車輪の回転を停止させることができるストッパー機構６を備える形態としても良い。例えば、板部材において、長手方向の両端部、かつ、短手方向の一方端部に設置されている２つのキャスター４が、ストッパー機構６を備えれば、少なくとも、本装置１が載置される地面の傾斜等によって自走する事態を防止することができる。
【００１９】
クッション材８は、板部材２とチェロ収納ケース２０の底部２２との間に介在し、板部材２よりも小さい板状の緩衝材となる部材である。クッション部材８は、例えば、厚さが１ｃｍ程度の振動緩衝用ゴムスポンジマットであっても良い。クッション材８は、収納したチェロについて、走行運搬時の振動や衝撃に対する安全性を高める。
【００２０】
ネジ状固定具１０は、チェロ収納ケース２０の底部２２に、本装置１を固定するためのネジ状の固定具である。本装置１は、ネジ状固定具１０よって、チェロ収納ケース２０へ容易に着脱可能となる。
【００２１】
ストッパー１２は、地面と接する部位に滑り止め部材１４を備え、板部材２の底面端部であってキャスター４が設置されていない箇所に設置される。ストッパー１２は、キャスター４と略同じ長さである。本装置１が装着されたチェロ収納ケース２０をぐらつかせずに安定させるためである。滑り止め部材１４は、例えば、ゴムを材料とする。
【００２２】
なお、図１で示すように、本装置１を装着するチェロ収納ケース２０は、キャスター未装着の既存のチェロ収納ケースであることを想定しているため、その底部２２に、ネジ状固定具１０を使用して本装置１を固定するための孔を貫通させる必要がある。本装置１の固定状態を安定させるため、底部２２の孔は２個程度備えられることが好適である。
【００２３】
そして、本装置１は、チェロ収納ケース２０に、各々の長手方向、短手方向を合わせて装着されることが好適である。本装置１を装着したチェロ収納ケース２０の運搬作業がスムーズに行われ、チェロ収納ケース２０の本来機能を損なわせないために、本装置１がチェロ収納ケース２０の底部２２からはみ出さないように設置する。
【００２４】
本装置１は上記構成を備えることによって、運搬作業の負担が軽く、運搬するチェロの安全性を確保すると共に、既存のチェロ収納ケースの機能を損なわずに後付け可能となる。
（本実施の形態に係るチェロ収納ケース用キャスター装置の使用方法）
図５を用いて、本装置１の使用方法について説明する。図５は、本装置１をチェロ収納ケース２０に装着した状態を示す図である。
【００２５】
使用者は、チェロ収納ケース２０の底部２２に設けた本装置１設置用の孔に、ネジ状固定具１０を装着しその状態を固定させる。図５で示すように、そうすると、チェロ収納ケース２０が上位置、本装置１が下位置にそれぞれ配置された状態となる。
【００２６】
使用者は、チェロ収納ケース２０の運搬作業において、チェロ収納ケース２０背面に適宜設置した牽引用ハンドルを利用し、チェロ収納ケース２０を傾けた状態で牽引する。そのとき、チェロ収納ケース２０のスムーズな走行をキャスター４がサポートする。
【００２７】
また、使用者は、チェロ収納ケース２０の運搬作業を中断するとき、チェロ収納ケース２０を直立状態とする。そのとき、使用者は、キャスター４のストッパー機構６又はストッパー１２を利用することによって、チェロ収納ケース２０が地面の傾斜等によって自走しないようにすることができ、チェロ収納ケース２０の直立状態を保つことができる。
【００２８】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２９】
１    チェロ収納ケース用キャスター装置
２    板部材
４    キャスター
６    ストッパー機構
８    クッション材
１０  ネジ状固定具
１２  ストッパー
１４  滑り止め部材
２０  チェロ収納ケース
２２  チェロ収納ケースの底部
２４  チェロ収納ケースの底部に開けたネジ穴
【図１】
0003208262.tif 000003
【図２】
0003208262.tif 000004
【図３】
0003208262.tif 000005
【図４】
0003208262.tif 000006
【図５】
0003208262.tif 000007